(57)【要約】【課題】長期にわたって性能を維持できる空気中のオイルミストを除去装置を提供することを目的とする。【解決手段】図１に示すように、フィルタ１はダクト４によって図２に示すように吸着部９と再生部１０に分割されモーターなど回転手段３によって図２に示す矢印の方向に回転している。オイルミストを含む空気は、ファンなどの送風手段を用いて、矢印５に示す様にフィルタ１の吸着部９を通過し、オイルミストをフィルタ１に吸着し浄化されて矢印７の様に排出される。また、フィルタ１の再生部１０は加熱手段２によって加熱され吸着したオイルミストを熱により燃焼分解して再生される。オイルミストを燃焼した排ガスは矢印６および矢印８に示す様に排出される。【選択図】図１
2008188522.tif 000002
【特許請求の範囲】
【請求項１】
円筒もしくは円盤状の油を吸収するセラミック製のフィルタと前記セラミック製フィルタの一部を加熱する加熱手段と前記フィルタを回転させる回転手段とを備え、前記セラミック製フィルタの加熱手段によって加熱する部分以外を吸着部として汚染空気を通過させ汚染空気中のオイルミストを吸着除去し、前記セラミック製フィルタの加熱手段によって加熱する部分を再生部として吸着したオイルミストを加熱手段による加熱によって分解し、前記回転手段によりセラミック製フィルタを回転させ吸着部で吸着したオイルミストを順次再生部で分解し、前記セラミック製フィルタを再生することを特徴とするオイルミスト除去装置。
【請求項２】
セラミック製フィルタがハニカム構造であることを特徴とする請求項１記載のオイルミスト除去装置。
【請求項３】
セラミック製フィルタを多孔質セラミックで構成した請求項１記載のオイルミスト除去装置。
【請求項４】
セラミック製フィルタに熱によりオイルミストを分解する触媒材料を添加することを特徴とする請求項１、２または３記載のオイルミスト除去装置。
【請求項５】
加熱手段がヒータであり、前記ヒーターを通過した温風によって再生部を加熱することを特徴とする請求項１、２、３または４記載のオイルミスト除去装置。
【請求項６】
加熱手段が赤外線を発生させるものであり、輻射により再生部を加熱することを特徴とする請求項１、２、３または４記載のオイルミスト除去装置。
【請求項７】
セラミック製フィルタに磁性材料を添加し、加熱手段に電磁誘導を用い、誘導加熱により加熱することを特徴とした請求項１、２、３または４記載のオイルミスト除去装置。
【請求項８】
再生部の温度を測定する温度センサを設け、温度センサの信号により異常を検知して加熱手段を停止する異常停止手段を設けた請求項１、２、３、４、５、６または７記載のオイルミスト除去装置。
【請求項９】
再生部に空気を供給する燃焼空気供給手段を設けた請求項１、２、３、４、５、６または７記載のオイルミスト除去装置。
【請求項１０】
再生部を通過した後の排気ガスを浄化する再生排ガス浄化手段を設けた請求項８記載のオイルミスト除去装置。
【発明の詳細な説明】
【技術分野】
【０００１】
本発明は、排ガス中に含まれるオイルミストを除去するオイルミスト除去装置に関する。
【背景技術】
【０００２】
従来、この種のオイルミスト除去装置は、低圧力損失の触媒を使用して、常に活性化温度域以上に加熱し、空気中のオイルミストを強制的に触媒体に接触させ空気中のオイルミストを除去するものが知られている。
【０００３】
以下、そのオイルミスト除去装置について、図９を参照しながら説明する。
【０００４】
図９に示すように、油煙の入口１０１と浄化した排気の出口１０２を有する経路１０３に発熱体１０４と吸引ファン１０５とを設け、これらの間に触媒体１０６を配置してなるオイルミスト除去装置である。油煙は、図９に示した矢印の様にオイルミスト除去装置内を通過する。入口１０１から吸引ファン１０５により強制的に流入した油煙は加熱ヒーター１０４で加熱されさらに加熱状態の触媒体１０６を通過しながら酸化分解を受け浄化され排気の出口１０２から排出される（特許文献１参照）。
【特許文献１】特開平９−２７１６３６号公報
【発明の開示】
【発明が解決しようとする課題】
【０００５】
このような従来のオイルミスト除去装置では、長期にわたり性能を維持することが要求されている。しかしながら、除去したオイルミストが蓄積されるため、フィルターを交換したり、洗浄するなどの定期的なメンテナンスを必要としていた。さらに、触媒を利用し常時分解を行うものもあるが、常に活性化領域に加熱して使用する為、エネルギー消費量が大きかった。また、メンテナンスによりオイルを含んだ洗浄液の廃液やフィルターなど、廃棄物が発生するため環境汚染の原因になっている。
【０００６】
本発明は、このような従来の課題を解決するものであり、ガス中のオイルミストを確実に除去すると共に、フィルターの一部を順次、自動で分解再生することにより、長期にわたってノーメンテで、省エネルギーで性能を維持することができるオイルミスト除去装置を提供することを目的としている。
【０００７】
また、除去したオイルを分解することにより、廃液や廃棄物を出すことなくオイルミストを除去することができるオイルミスト除去装置を提供することを目的としている。
【課題を解決するための手段】
【０００８】
本発明のオイルミスト除去装置は上記目的を達成するために、円筒もしくは円盤状の油を吸収するセラミック製のフィルタと前記セラミック製フィルタの一部を加熱する加熱手段と前記フィルタを回転させる回転手段とを備え、前記セラミック製フィルタの加熱手段によって加熱する部分以外を吸着部として汚染空気を通過させ汚染空気中のオイルミストを吸着除去し、前記セラミック製フィルタの加熱手段によって加熱する部分を再生部として吸着したオイルミストを加熱手段による加熱によって分解し、前記回転手段によりセラミック製フィルタを回転させ吸着部で吸着したオイルミストを順次再生部で分解し、前記セラミック製フィルタを再生することを特徴としたものである。
【０００９】
この手段によりセラミック製フィルタの吸着部を通過する空気中のオイルミストを確実に除去することができ、再生部で順次加熱分解するため自動的にフィルタを再生できるオイルミスト除去装置が得られる。
【００１０】
また、他の手段は、セラミック製フィルタがハニカム構造としたものである。
【００１１】
また、他の手段は、セラミック製フィルタを多孔質セラミックで構成したものである。
【００１２】
また、他の手段は、セラミック製フィルタに熱によりオイルミストを分解する触媒材料を添加したものである。
【００１３】
また、他の手段は、加熱手段がヒーターであり、前記ヒーターを通過した温風によって再生部を加熱することとしたものである。
【００１４】
また、他の手段は、加熱手段が赤外線を発生させるものであり、輻射により再生部を加熱するものである。
【００１５】
また、他の手段は、セラミック製フィルタに磁性材料を添加し、加熱手段に電磁誘導を用い、誘導加熱により加熱するものである。
【００１６】
また、他の手段は、再生部の温度を測定する温度センサを設け、温度センサの信号により異常を検知して加熱手段を停止する異常停止手段を設けたものである。
【００１７】
また、他の手段は、再生部に空気を供給する燃焼空気供給手段を設けたものである。
【００１８】
また、他の手段は、再生部を通過した後の排気ガスを浄化する再生排ガス浄化手段を設けたものである。
【発明の効果】
【００１９】
本発明によれば油を吸収するセラミック製フィルタにより、空気中のオイルミストを確実に除去すると共に、再生部で順次自動で除去したオイルを分解しフィルターを再生することにより、長期にわたってノーメンテで省エネルギーで性能を維持することができるオイルミスト除去装置を提供できる。
【００２０】
また、除去したオイルを分解することにより、廃液や廃棄物を出すことなくオイルミストを除去することができるオイルミスト除去装置を提供できる。
【発明を実施するための最良の形態】
【００２１】
本発明請求項１記載の発明は、円筒もしくは円盤状の油を吸収するセラミック製のフィルタと前記セラミック製フィルタの一部を加熱する加熱手段と前記フィルタを回転させる回転手段とを備え、前記セラミック製フィルタの加熱手段によって加熱する部分以外を吸着部として汚染空気を通過させ汚染空気中のオイルミストを吸着除去し、前記セラミック製フィルタの加熱手段によって加熱する部分を再生部として吸着したオイルミストを加熱手段による加熱によって分解し、前記回転手段によりセラミック製フィルタを回転させ吸着部で吸着したオイルミストを順次再生部で分解し、前記セラミック製フィルタを再生することを特徴とするオイルミスト除去装置としたものであり、セラミック製フィルタの吸着部で空気中のオイルミストを吸着し除去するとともにフィルタを回転させることにより、順次再生部において吸着したオイルミストを加熱分解し、フィルタを再生する作用を有する。
【００２２】
本発明請求項２記載の発明は、セラミック製フィルタがハニカム構造であることを特徴としたものであり、低圧損で空気を送ることが出来る作用を有する。
【００２３】
本発明請求項３記載の発明は、セラミック製フィルタを多孔質セラミックで構成したものであり、多孔質構造により空気とフィルタの接触機会が増え、オイルミストを確実に吸着除去できる作用を有する。
【００２４】
本発明請求項４記載の発明は、セラミック製フィルタに熱によりオイルミストを分解する触媒材料を添加することを特徴としたものであり、触媒を用いることにより、より低温でオイルミストを分解することができる作用を有する。
【００２５】
本発明請求項５記載の発明は、加熱手段がヒータであり、ヒーターを通過した温風によって再生部を加熱することを特徴としたものであり、再生に必要な熱と酸素を同時に供給できる作用を有する。
【００２６】
本発明請求項６記載の発明は、加熱手段が赤外線を発生させるものであり、輻射により再生部を加熱することを特徴としたものであり、輻射熱により再生部を直接加熱することが出来るという作用を有する。
【００２７】
本発明請求項７記載の発明は、セラミック製フィルタに磁性材料を添加し、加熱手段に電磁誘導を用い、誘導加熱により加熱することを特徴としたものであり、加熱による温度上昇が早く、セラミック製フィルタの内部まで均一に加熱できるという作用を有する。
【００２８】
本発明請求項８記載の発明は、再生部の温度を測定する温度センサを設け、温度センサの信号により異常を検知して加熱手段を停止する異常停止手段を設けたものであり、再生部の加熱とオイルミストの分解による異常な温度上昇を検知して、加熱を停止することにより、安全に装置を運転できる作用を有する。
【００２９】
本発明請求項９記載の発明は、再生部に空気を供給する燃焼空気供給手段を設けたものであり、再生部に空気を供給することにより、オイルミストの加熱分解に必要な酸素を供給するという作用を有する。
【００３０】
本発明請求項１０記載の発明は、再生部を通過した後の排気ガスを浄化する再生排ガス浄化手段を設けたものであり、再生部において二酸化炭素と水に完全に分解できずに発生するガスの外部への排出を抑制するという作用を有する。
【００３１】
以下、本発明の実施の形態について図面を参照しながら説明する。
【００３２】
（実施の形態１）
図１は、本発明のオイルミスト除去装置の構成を示すブロック図である。また、図２は本発明のオイルミスト除去装置のフィルタを示す図である。
【００３３】
図１に示すように、フィルタ１はダクト４によって図２に示すように吸着部９と再生部１０に分割されモーターなど回転手段３によって図２に示す矢印の方向に回転している。
【００３４】
オイルミストを含む空気は、ファンなどの送風手段を用いて、矢印５に示す様にフィルタ１の吸着部９を通過し、オイルミストをフィルタ１に吸着し浄化されて矢印７の様に排出される。
【００３５】
ここで、フィルタ１は円筒もしくは円盤状であり多孔質のセラミックを主体とする材料で構成され、空気を通過させると共に空気中のオイルミストを捕捉し吸着するものでありアルミナ、シリカなどの種々の材料を用いることができる。
【００３６】
また、フィルタ１の再生部１０は加熱手段２によって加熱され吸着したオイルミストを熱により燃焼分解して再生される。オイルミストを燃焼した排ガスは矢印６および矢印８に示す様に排出される。
【００３７】
上記構成において、フィルタ１は吸着部９で空気中のオイルミストを吸着除去する。同時に、回転手段３によって回転し、再生部１０を通過することにより吸着したオイルミストを燃焼分解して再生することができる。
【００３８】
この動作を繰り返すことにより、フィルタ１上へのオイルミストの蓄積による除去性能の低下を防止することが可能であると共に、フィルタ１の一部のみを再生部１０として加熱するため、省エネルギーで運転することが可能となる。
【００３９】
ここで、加熱手段２は、ニクロム線やＰＴＣヒータを用いて温風を利用し加熱するものを用いるだけでなく、ハロゲンランプなどの赤外線により直接フィルタ１の再生部１０を加熱しても良い。
【００４０】
（実施の形態２）
実施の形態１と同一部分は同一符号を付し詳細な説明は省略する。図３は、本発明のオイルミスト除去装置のフィルタ１の構造を示す模式図である。図３に示す様に、フィルタ１はハニカム構造であり、空気中のオイルミストを捕捉し吸着するものでありアルミナ、シリカなどの種々の材料を用いることができる。
【００４１】
上記構成において、フィルタ１を空気が通過する際の抵抗すなわち圧力損失を低減することが可能となるため、より、低騒音で小型のオイルミスト除去装置を提供できる。
【００４２】
（実施の形態３）
実施の形態１、２と同一部分は同一符号を付し詳細な説明は省略する。図４は、本発明のオイルミスト除去装置の構成を示すブロック図である。
【００４３】
図４において、触媒添加フィルタ１１は、円筒もしくは円盤状であり多孔質のセラミックを主体とする材料に吸着したオイルミストを分解する熱触媒を添加したものである。
【００４４】
上記構成において、触媒添加フィルタ１１に吸着したオイルミストは、加熱手段２によって活性化された熱触媒により吸着したオイルミストを分解して再生される。
【００４５】
熱触媒を添加することにより、より低温で再生が可能となり、より省エネルギーで空気中のオイルミストを除去可能となる。
【００４６】
ここで、熱触媒は、吸着したオイルミストを分解可能なものであれば、貴金属系、金属酸化物系など各種の触媒を用いることができる。白金、パラジウムなどが一般的である。
【００４７】
（実施の形態４）
実施の形態１乃至３と同一部分は同一符号を付し詳細な説明は省略する。図５は、本発明のオイルミスト除去装置の構成を示すブロック図である。
【００４８】
図５において、磁性体添加フィルタ１２は、円筒もしくは円盤状であり多孔質のセラミックを主体とする材料に磁性体材料を添加したものである。誘導加熱手段１３は、高周波電流により電磁誘導を発生することができるものでコイルなどが用いられる。
【００４９】
上記構成において、再生部１０では誘導加熱手段１３によって発生した電磁誘導により磁性体添加フィルタ１２に添加した磁性体が加熱され、その結果、磁性体添加フィルタ１２の再生部１０を加熱することができ、吸着したオイルミストを分解することが可能となる。
【００５０】
電磁誘導により磁性体添加フィルタ１２を直接加熱することが可能なため、熱ロスが少なく、より省エネルギーで運転可能なオイルミスト除去装置を提供できる。
【００５１】
（実施の形態５）
実施の形態１乃至４と同一部分は同一符号を付し詳細な説明は省略する図６は、本発明のオイルミスト除去装置の構成を示すブロック図である。
【００５２】
図６に示す様に温度センサ１４は、加熱手段２とフィルタ１の間に設置され、フィルタ１の再生部１０の温度を測定する。ここで、温度センサ１４としては、熱電対やサーミスタ、白金測温体など使用する温度で測定可能なものであれば使用することができる。
【００５３】
上記構成においてその動作は、温度センサ１４で測定した温度が設定温度すなわち通常オイルミストを燃焼する温度以上に高温になると異常燃焼が起きていると判断し、加熱手段２による加熱を停止する。
【００５４】
以上のように、異常な温度上昇を検知し、加熱手段２による加熱を停止することにより、オイルミストの自己燃焼による発熱を抑制することが可能となり、より安全なオイルミスト除去装置を提供することが可能となる。
【００５５】
（実施の形態６）
実施の形態１乃至５と同一部分は同一符号を付し詳細な説明は省略する図７は、本発明のオイルミスト除去装置の構成を示すブロック図である。
【００５６】
図７に示す様に、送風手段１５はダクト４の矢印６側に接続し、フィルタ１の再生部１０に空気を送風し、オイルミストの燃焼に必要な酸素を供給する。
【００５７】
上記構成において、フィルタ１の再生部１０にオイルミストが燃焼するに必要十分な酸素が供給されるため、完全な分解燃焼が可能となり残渣が残るのを抑制することができる。
【００５８】
そのため、より耐久性に優れたオイルミスト除去装置を提供することができる。
【００５９】
（実施の形態７）
実施の形態１乃至６と同一部分は同一符号を付し詳細な説明は省略する図８は、本発明のオイルミスト除去装置の構成を示すブロック図である。
【００６０】
図８に示す様に、再生排ガス浄化手段１６はダクト４の排出側に接続され、再生部１０でオイルミストを燃焼したときに発生する排出ガスを浄化する。
【００６１】
上記構成において、オイルミストの燃焼に際し完全燃焼すると基本的にＣＯ２と水に分解されるが、完全に分解されず有機ガスや一酸化炭素のような汚染ガスが排出される場合がある。再生排ガス浄化手段１６は、オイルミストの燃焼に伴って排出される汚染ガスを除去するものであり、活性炭やゼオライトなどの吸着剤、もしくは、白金、パラジウムなどの貴金属系触媒、もしくは、金属酸化物触媒などを用いることができる。
【００６２】
以上のように、再生排ガス浄化手段１６により、オイルミストの燃焼に伴う汚染ガスの排出を抑制することが可能となる。
【産業上の利用可能性】
【００６３】
機械加工などの工業分野、家庭・店舗分野の調理によって発生するオイルミストの除去に利用することが可能。
【図面の簡単な説明】
【００６４】
【図１】本発明の実施の形態１の構成を示すブロック図
【図２】本発明の実施の形態１のフィルタ構成を示す模式図
【図３】本発明の実施の形態２のフィルタ構造を示す模式図
【図４】本発明の実施の形態３の構成を示すブロック図
【図５】本発明の実施の形態４の構成を示すブロック図
【図６】本発明の実施の形態５の構成を示すブロック図
【図７】本発明の実施の形態６の構成を示すブロック図
【図８】本発明の実施の形態７の構成を示すブロック図
【図９】従来のオイルミスト除去装置の構成を示すブロック図
【符号の説明】
【００６５】
１    フィルタ
２    加熱手段
３    回転手段
９    吸着部
１０  再生部
１１  触媒添加フィルタ
１２  磁性体添加フィルタ
１３  誘導加熱手段
１４  温度センサ
１５  送風手段
１６  再生排ガス浄化手段
【図１】
2008188522.tif 000003
【図２】
2008188522.tif 000004
【図３】
2008188522.tif 000005
【図４】
2008188522.tif 000006
【図５】
2008188522.tif 000007
【図６】
2008188522.tif 000008
【図７】
2008188522.tif 000009
【図８】
2008188522.tif 000010
【図９】
2008188522.tif 000011